(57)【要約】【課題】  体の位置、移動方向、歩幅及び回転角度などダンサーの動作を誘導するために必要な情報を提供し、容易にダンスを習得ことが可能なダンサー誘導表示具、ダンス用教本、ダンス教示用システム及び記録媒体を提供する。【解決手段】  本発明は、矩形体の表示形態を有する男性ダンサー表示手段１０と、略三角形の表示形態を有する女性ダンサー表示手段２０とを適宜配置を組み合わせてダンサーの動作を誘導するようにした。【選択図】    図１
2005312493.tif 000002
【特許請求の範囲】
【請求項１】
二種類の異なる表示形態を有し、一方の表示形態を男性ダンサー表示手段とし、他方の表示形態を女性ダンサー表示手段とし、これらの表示手段を適宜配置を組み合わせてダンサーの動作を誘導することを特徴とするダンサー誘導表示具。
【請求項２】
前記男性ダンサー表示手段は、矩形体からなり、前記女性ダンサー表示手段は、略三角形からなることを特徴とする請求項１記載のダンサー誘導表示具。
【請求項３】
前記男性ダンサー表示手段の長辺の一方が所定部位を示す第一表示部を有することを特徴とする請求項２記載のダンサー誘導表示具。
【請求項４】
前記男性ダンサー表示手段の短辺の少なくとも一方、及び前記女性ダンサー表示手段の頂点に交わる辺の少なくとも一方のうち、少なくとも一つの辺が所定部位を示す第二表示部を有することを特徴とする請求項２又は３記載のダンサー誘導表示具。
【請求項５】
請求項１乃至４のいずれか１項に記載の前記男性ダンサー表示手段、及び前記女性ダンサー表示手段の配置を適宜組み合わせた形態が印刷されていることを特徴とするダンス用教本。
【請求項６】
請求項１乃至４のいずれか１項に記載のダンサー誘導表示具の画像情報を保持する記録再生装置と、該記録再生装置に保持されている画像情報を指定する入力を行う入力装置と、該入力装置から送られる入力信号に基づいて、前記記録再生装置から画像情報を取得する制御装置と、前記制御装置が取得した画像情報を表示する表示装置とを備えることを特徴とするダンス教示用システム。
【請求項７】
請求項１乃至４のいずれか１項に記載のダンサー誘導表示具の画像情報を保持する手順と、前記保持されている画像情報を指定する入力を行う手順と、前記入力を行う手順に基づいて、前記画像情報を取得する手順と、前記取得した画像情報を表示する手順とをコンピュータに実行させるプログラムを記録したコンピュータ読み取り可能な記録媒体。
【発明の詳細な説明】
【技術分野】
【０００１】
本発明は、ペアーで踊るダンスを教示するための教材に関し、特に、ペアーのダンサーの動作を誘導するダンサー誘導表示具、ダンス用教本、ダンス教示用システム及び記録媒体に関する。
【背景技術】
【０００２】
社交ダンスなどの男女ペアーで踊るダンサーの動作を誘導する場合、指導者は、例えば、プロの演技を納めた映像を鑑賞させたり、男女別の足型図を用いて説明している。図４に従来のダンス用教本に掲載されている足型図の一例を示す。
【０００３】
図４より、ダンス用教本の紙面３には、男性ダンサーの足型図５０とその軌跡線５１、さらに女性ダンサーの足型図６０とその軌跡線６１が示されている。図中のＬ・Ｏ・Ｄとは、Line Of Dance の略称であり、男女が踊り進むべき方向線を矢印と共に示している。
【０００４】
また、この紙面３には、ステップの一例としてナチュラルターンの足型図を示している。図において黒く塗りつぶした足型が、ナチュラルターンの開始位置である。そして、ダンサーは、Ｌ・Ｏ・Ｄの方向線に沿って、足型５０，６０をたどっていくと、ナチュラルターンを習得することができる。
【発明の開示】
【発明が解決しようとする課題】
【０００５】
しかしながら、上記従来の足型図によれば、体の向きや回転角度など体の動きに関する情報は、足型図とは別に文章で説明しなければならい。従って、ダンスを習得したい者は、足型図と文章とを同時に引き合わせながら理解しなければならず面倒である。また、図４に示すように、男女別の足型図は、一見しただけでは、男女の別、足の向きや動きなどが理解しがたいものである。そこで、男女の足型図をそれぞれ色を変えて表示し、見やすくすることも考えられるが、体の動きまでは表すことができない。さらに、このような足型図を用いてダンスを習得すると、習得した者の意識がダンサーの足元ばかりに向いてしまい、肝心な体の動作や表現などに目が行き届かないことがある。
【０００６】
一方、ダンスを取得する別の方法として、プロのダンサーの演技を納めた映像を鑑賞させる方法もあるが、映像は、情報が一方通行に流れてしまい、単なる鑑賞に終わってしまうことがある。
【０００７】
このように、従来のダンス用の教材は足型図を用いて、まずステップを習得することを基本とし、ダンサーの動作については指導者による実演やビデオ鑑賞などにより習得していた。従って、足型図のようなシンプルな図形を用いてダンサーの動作を理解させる教材に関してはこれまでになかった。
【０００８】
そこで、本発明は上記問題を鑑みてなされたもので、体の位置、移動方向、歩幅及び回転角度などダンサーの動作を誘導するために必要な情報を提供し、容易にダンスを習得することが可能なダンサー誘導表示具、ダンス用教本、ダンス教示用システム及び記録媒体を提供することを課題とする。
【課題を解決するための手段】
【０００９】
上記課題を解決するために、本発明に係るダンサー誘導表示具は、二種類の異なる表示形態を有し、一方の表示形態を男性ダンサー表示手段とし、他方の表示形態を女性ダンサー表示手段とし、これらの表示手段を適宜配置を組み合わせてダンサーの動作を誘導することを特徴とする。
【００１０】
上記構成からなるダンサー誘導表示具によれば、男女別のダンサーを表す表示形態を基本のステップに沿って配置することにより、当該表示形態のみで、体の位置、移動方向、歩幅及び回転角度などダンサーの動作を誘導するために必要な情報を提供することができる。
【００１１】
また、前記男性ダンサー表示手段は、矩形体からなり、前記女性ダンサー表示手段は、略三角形からなるようにしてもよい。これにより、単純な図形を組み合わせるだけで、男女の別を明確に区別でき、ダンサーの動作のみならず、ダンサーのステップも併せて推測することができる。
【００１２】
また、前記男性ダンサー表示手段は、前記矩形体の長辺の一方が所定部位を示す第一表示部を有するようにしてもよい。これにより、例えば、前記矩形体の長辺の一方を太く表示することにより、男性ダンサーの背面を表すようにし、男性ダンサーが単独で踊る場合、体の前後を容易に把握させることができるとともに、移動方向や回転角度なども容易に把握させることができる。
【００１３】
また、前記男性ダンサー表示手段の短辺の少なくとも一方、及び前記女性ダンサー表示手段の頂点に交わる辺の少なくとも一方のうち、少なくとも一つの辺が所定部位を示す第二表示部を有するようにしてもよい。これにより、例えば、男性ダンサー表示手段に対し、前記第一表示部を太線で表示し、当該第一表示部から左手前方に延びる第二表示部を太線で表示するようにし、男性ダンサーの肩のラインから延びる左腕が肘の所で直角に曲げられるという、基本的な姿勢を表示することができる。従って、男性ダンサーは、基本的な姿勢を常に意識しながら、ダンスを習得することができる。また、男女のダンサーが手を握ることを示すために第二表示部を用いるようにしてもよく、これにより、ラテン種目などで、手が離れたり、手を握ったりする動作を簡単に表すことができる。
【００１４】
また、本発明に係るダンス用教本は、上述した前記男性ダンサー表示手段、及び前記女性ダンサー表示手段の配置を適宜組み合わせた形態を紙面に印刷するようにしたので、ダンスを習得したい者が独習のために使用するのに好適である。
【００１５】
また、本発明に係るダンス教示用システムは、上述したダンサー誘導表示具の画像情報を保持する記録再生装置と、該記録再生装置に保持されている画像情報を指定する入力を行う入力装置と、該入力装置から送られる入力信号に基づいて、前記記録再生装置から画像情報を取得する制御装置と、前記制御装置が取得した画像情報を表示する表示装置とを備えることを特徴とする。
【００１６】
上記構成からなるダンス教示用システムは、上述したダンサー誘導表示具を画像情報として保持するようにしたので、使用者は、所望のダンスの画像情報を容易に取り出すことができる。また、ディスプレイ画面に前記画像情報を表示するようにしたので、指導者は、多人数に映像を見せながら、ダンスを教示することができる。なお、前記画像情報を保持した記録媒体をダンス教示用システムに供給し、プログラムを実行させるようにしてもよい。
【発明の効果】
【００１７】
即ち、本発明に係るダンサー誘導表示具、ダンス用教本、ダンス教示用システム及び記録媒体は、男女別の二種類の異なる表示形態を組み合わせてダンサーの動作を誘導するようにしたので、ダンサーの体の位置、移動方向、歩幅及び回転角度などダンサーの動作を誘導するために必要な情報を提供し、さらに足の動きも推測することができる。従って、前記表示具のみで、一連のダンスを表現でき、容易に習得させることができる。
【発明を実施するための最良の形態】
【００１８】
以下、本発明の実施形態について図面を参酌しつつ説明する。なお、本発明はペアーで踊るダンスを教示するための教材に関するものであるが、ここでは社交ダンスを例に挙げて説明する。また、本発明のダンサーの動作とは、ダンサーの体の位置、移動方向、歩幅及び回転角度などの情報をいう。
【００１９】
＜第一実施形態＞
第一実施形態では、例えば、紙やプラスチックで作られた男女別の表示手段を表示板上に表示させたダンサー誘導表示具の一例について説明する。図１に、本発明の第一実施形態に係るダンサー誘導表示具の表示例を説明するための図を示す。
【００２０】
図１より、１０は男性ダンサー表示手段であり、矩形体の形状を有している。２０は女性ダンサー表示手段であり、略三角形状を有している。これら表示手段１０，２０は、例えば、紙やプラスチックで作ることができ、同じく紙やプラスチックなどから作られる表示板１上に載置して表示されている。表示板１上には、表示手段１０，２０によって表されたステップ名が記されたステップ表示手段１ａ、及び方向線が示されたＬＯＤ表示手段１ｂが適宜載置されている。
【００２１】
このように構成されたダンサー誘導表示具について、その動作を説明する。まず、表示板１上に、前記表示手段１０，２０を基本のステップに沿って、又は適宜配置を組み合わせて並べて置いていく。そして、適宜、ステップ表示手段１ａ、ＬＯＤ表示手段１ｂを置くことにより、一連のダンスを表示させることができる。
【００２２】
図１には、ダンスの一例として、オープンテレマークのステップを有するダンスを表示している。ダンスは、ＬＯＤ表示手段１ｂに沿って進行するので、左端の表示手段１０，２０がこのダンスの最初のフォーメーションである。以下に、オープンテレマークのステップを有するダンスについて説明する。なお、参考のために、ダンスの順番を(i)〜(vii)の番号で示している。
【００２３】
まず、図１の左端の表示手段１０，２０は、男女のダンサーが正面（平行）に向かい合って組んでいることを示している。特に、男性ダンサー表示手段１０の一方の長辺の略三分の一に、女性ダンサー表示手段２０の頂点が接しているが、これにより、女性ダンサーが男性ダンサーの右肩越しに前方が見えるダンスの基本フォームを示している。もちろん、女性ダンサー表示手段２０の頂点が、男性ダンサー表示手段１０の一方の長辺の略中央に接していても構わない。
【００２４】
最初に、男性ダンサーが中央斜めに面し、女性ダンサーは男性ダンサーと向き合った状態で接して位置している(i)。次に、男性ダンサーは前進し、女性ダンサーは後退する(ii)。次に、男性ダンサーは左へ１／４回転し、女性ダンサーも左へ１／４回転する(iii)。次に、男性ダンサーは左へ３／８回転し、女性ダンサーは左へ１／４回転する(iv)。次に、男性ダンサーは左斜めに前進し、女性ダンサーは右横に前進する(v)。次に、男性ダンサーは左斜めに前進し、女性ダンサーは、左へ１／４回転する(vi)。そして、男性ダンサーは左へ１／８回転し、女性ダンサーも左へ１／８回転する(vii)。以上の動作で、オープンテレマークの一連のダンスを踊ることができる。
【００２５】
以上のように、本実施形態に係るダンサー誘導表示具によれば、矩形体の男性ダンサー表示手段１０と、略三角形の女性ダンサー表示手段２０とを組み合わせてダンスを表現するようにした。これにより、男女の別を明確に区別でき、男女別の表示手段を適宜配置を組み合わせるだけで、容易に一連のダンスを表現することができる。そして、この表示具から、体の位置、移動方向、歩幅及び回転角度などダンサーの動作を誘導するために必要な情報を提供することができる。さらに、足型図がなくても、ステップの動きを推測することもでき、パートナーとの体の接し方なども理解することができる。従来は、ダンスを習得するために、足型図とそれに付随する説明文とを引き合わせて理解していたが、説明文がなくても、表示手段のみでダンスを習得することができる。
【００２６】
なお、前記表示板１及び表示手段１０，２０を紙又はプラスチックなどで作るようにしたが、磁性材料を有する表示板１に、背面にマグネットを取り付けた表示手段１０，２０を吸着させて表示するようにしてもよい。
【００２７】
また、前記表示手段１０，２０は、男性ダンサーを矩形体、女性ダンサーを略三角形の形状で示したが、これらは一例であって、この形状に限るものではない。男性ダンサー及び女性ダンサーを区別できるならば、種々の形状を採用することができる。また、両方とも同じ形状とし、色付けにより区別するようにしてもよい。また、前記表示手段１０，２０は、平板状であっても立体形状であっても構わない。
【００２８】
このようなダンサー誘導表示具は、例えば、ダンスの教師が生徒にダンスを習得させるための教材として使用することができる。さらに、ダンスの教師等がダンスのフォーメーションを思考する際に使用したり、競技会などで他人のダンスを素早く記録したりする際に使用することもできる。
【００２９】
＜第二実施形態＞
第二実施形態では、前記ダンサー誘導表示具を、例えば、紙面に印刷したダンス用教本の一例について説明する。図２に、本発明の第二実施形態に係るダンス用教本の一例を説明するための図を示す。
【００３０】
図２より、２はダンス用教本の紙面、１０は紙面２上に印刷された矩形状の男性ダンサー表示手段、２０は紙面２上に印刷された略三角形状の女性ダンサー表示手段である。さらに、男性ダンサー表示手段１０には、矩形体の長辺の一方を太くすることにより、ダンサーの背面を表す第一表示部１１と、矩形体の短辺の一方を太くすることにより、体の左右を表す第二表示部１２が表示されている。図２では、第二表示部１２は男性ダンサーの左肩を表している。また、紙面２には、適宜、表示手段１０，２０によって表されたステップ名及びＬＯＤが記載されている。
【００３１】
図２には、ダンスの一例として、ナチュラルターンのステップを有するダンスを表示している。ダンスは、ＬＯＤに沿って進行するので、左端の表示手段１０，２０がこのダンスの最初のフォーメーションであり、順に右方向へダンスが進行する。
【００３２】
以上のように、本実施形態に係るダンス用教本によれば、前記表示手段１０，２０を紙面２に印刷するようにしたので、ダンスを習得したい者が独習のために使用するのに好適である。また、上記第一実施形態のダンサー誘導表示具と異なり、表示手段１０，２０同士が重なる部分も表示させることができ、ダンサーの体の各動きをより明確に表すことができる。また、ダンサーの背面を表す第一表示部１１と、体の左右を表す第二表示部１２とを有するようにしたので、ダンサーの進行方向及び回転量をより明確にすることができる。特に、図２では、男性ダンサー表示手段１０に、第一表示部１１及び第二表示部１２を有することにより、男性ダンサーの肩のラインから伸びる左腕が肘の所で直角に曲げられるという、基本的な姿勢を表示することができる。つまり、これら表示部１１，１２を用いて正しい姿勢を把握させることができる。また、ダンスの動きが細かくなるほど、表示手段１０，２０同士の重なりが増えて表示手段の動きが見難くなるため、第一表示部１１及び第二表示部１２のうち少なくとも一方を有することにより、体の動きをより明確に表示することができる。
【００３３】
なお、第一表示部１１は男性ダンサーの背面を示すために表示したが、この表示部は任意であって、例えば、社交ダンスのモダン種目などのように男女が向かい合って踊ることを基本としている場合は、表示する必要はない。また、ラテン種目などで男女が離れて踊る場合は、女性ダンサー表示手段２０に第一表示部１１を有することにより、女性ダンサーの向きを明確に表示することができる。
【００３４】
また、本実施形態では、第二表示部１２を男性ダンサーの左腕を示すために用いたが、男女のダンサーが手を握ることを示すために用いてもよい。これにより、ラテン種目などで、手が離れたり、手を握ったりする動作を明確に表すことができる。
【００３５】
また、図２では表示体１０，２０の重なり部分を全て実線で示したが、手前にくる表示体１０，２０のみを実線で表し、背面にくる表示体１０，２０を点線で表すなど、区別して表示するようにしてもよい。
【００３６】
また、本実施形態のダンス用教本は、個々の紙面の背を綴じた書籍を想定して説明したが、一枚一枚切り離されたカードであってもよい。
【００３７】
＜第三実施形態＞
第三実施形態では、前記ダンサー誘導表示具を画像情報として保持するダンス教示用システムについて説明する。図３に、本発明の第三実施形態に係るダンス教示用システムの構成を説明するためのブロック図を示す。
【００３８】
図３より、ダンス教示用システムは、制御装置３２と、記録再生装置３１と、入力装置３３と、表示装置３４とを備えている。
【００３９】
記録再生装置３１は、例えば、ハードディスクなどで構成され、上記第一又は第二実施形態の表示形態で表されたダンスの画像情報を保持している。入力装置３３は、例えば、ポインティングデバイス、キーボード、リモートコントローラなどであり、前記記録再生装置３１に保持されている画像情報の中から、表示したい情報を指定するための入力を行う。制御装置３２は、例えば、ＣＰＵなどで構成され、前記入力装置３３から入力された信号に基づいて、前記記録再生装置３１から画像情報を取得する。表示装置３４は、例えば、ディスプレイなどであり、前記制御装置３２から取得した情報を表示する。
【００４０】
このように構成されたダンス教示用システムについて、以下にその動作を説明する。まず、使用者が、表示させたいダンスの画像情報をリモートコントローラなどで選択すると、制御装置３２が記録再生装置３１から選択された画像情報を取得して、ディスプレイなどに表示させることができる。
【００４１】
以上のように、本実施形態に係るダンス教示用システムによれば、ダンスの画像情報を保持し、所望のダンスの画像情報を容易に取り出して表示するようにした。これにより、ダンスの教師等がディスプレイ上にダンサー誘導表示体を表示させて、多人数に指導することができる。また、従来、プロのダンサーの演技を納めた映像を鑑賞してダンスを習得させていたが、実際のダンス映像よりも形状がシンプルな割りに、多くの情報を含んでいるため、映像を流し見ることがなく、五感を働かせながらダンスを習得することができる。
【００４２】
なお、前記記録再生装置３１は、ハードディスクなどの記録装置以外にも、前記画像情報を実現するプログラムをインターネットで受信する、あるいは前記プログラムを記録した記録媒体を記録再生装置３１に供給し、該記録再生装置３１のＣＰＵ等の制御装置３２が記録媒体に保持されたプログラムを読み出して実行することによっても、同様に実施することができる。なお、プログラムを記録する記録媒体としては、例えば、フレキシブルディスク、ハードディスク、あるいはＣＤ−ＲＯＭ，ＤＶＤ−ＲＯＭなどの光ディスク等を用いることができる。
【図面の簡単な説明】
【００４３】
【図１】第一実施形態に係るダンサー誘導表示具の表示例を説明するための図を示す。
【図２】第二実施形態に係るダンス用教本の一例を説明するための図を示す。
【図３】第三実施形態に係るダンス教示用システムの構成を説明するためのブロック図を示す。
【図４】従来のダンス用教本の一例を説明するための図を示す。
【符号の説明】
【００４４】
１…表示板
１ａ…ステップ表示手段
１ｂ…ＬＯＤ表示手段
１０…男性ダンサー表示手段
１１…第一表示部
１２…第二表示部
２０…女性ダンサー表示手段
３１…記録再生装置
３２…制御装置
３３…入力装置
３４…表示装置
【図１】
2005312493.tif 000003
【図２】
2005312493.tif 000004
【図３】
2005312493.tif 000005
【図４】
2005312493.tif 000006